【手続補正書】
【提出日】平成18年11月1日(2006.11.1)
【手続補正１】
【補正対象書類名】特許請求の範囲
【補正対象項目名】全文
【補正方法】変更
【補正の内容】
【特許請求の範囲】
【請求項１】
インクを吐出して記録を行う記録ヘッドの吐出口面に沿って往復移動することにより該吐出口面を払拭するワイパーと、
前記ワイパーが当接することにより前記ワイパーに付着したインクを除去するワイパークリーナと、
前記ワイパークリーナを回動可能に軸支するクリーナホルダと、
前記ワイパーを保持するワイパーホルダに配され、前記ワイパークリーナを前記ワイパーと当接しない位置に移動させるための制御レバーと、を備え、
前記ワイパーが第１の方向に移動するときは前記ワイパーが前記ワイパークリーナと当接し、前記ワイパーが第２の方向に移動するときは前記ワイパーが前記ワイパークリーナと当接する前に前記制御レバーと前記ワイパークリーナが当接することにより前記ワイパーと前記ワイパークリーナとが当接しないことを特徴とするインクジェット記録装置。
【請求項２】
インクを吐出して記録を行う記録ヘッドの吐出口面に沿って往復移動することにより該吐出口面を払拭するワイパーと、
前記ワイパーが当接することにより前記ワイパーに接触したインクを除去するワイパークリーナと、
前記ワイパークリーナを回動可能に軸支するクリーナホルダと、
前記ワイパークリーナと一体に形成され、前記ワイパークリーナを前記ワイパーと当接しない位置に移動させるための弾性アームと、を備え、
前記ワイパーが第１の方向に移動するときは前記ワイパーが前記ワイパークリーナと当接し、前記ワイパーが第２の方向に移動するときは前記ワイパーが前記ワイパークリーナと当接する前に前記ワイパーを保持するワイパーホルダと前記弾性アームが当接することにより前記ワイパーと前記ワイパークリーナとが当接しないことを特徴とするインクジェット記録装置。
【請求項３】
前記ワイパークリーナはばね付勢されるとともに、前記ワイパークリーナは前記クリーナホルダが当接することにより前記ワイパーと当接するときの回動を規制されることを特徴とする請求項１又は２に記載のインクジェット記録装置。
【請求項４】
前記ワイパーは前記吐出口面に配された吐出口列と平行に移動することを特徴とする請求項１ないし３のいずれか１項に記載のインクジェット記録装置。
【手続補正２】
【補正対象書類名】明細書
【補正対象項目名】発明の名称
【補正方法】変更
【補正の内容】
【発明の名称】インクジェット記録装置
【手続補正３】
【補正対象書類名】明細書
【補正対象項目名】０００１
【補正方法】変更
【補正の内容】
【０００１】
本発明は、インクを吐出して記録を行う記録ヘッドの吐出口面を払拭するワイパーを備えたインクジェット記録装置に関する。
【手続補正４】
【補正対象書類名】明細書
【補正対象項目名】０００９
【補正方法】変更
【補正の内容】
【０００９】
本発明はこのような技術的課題に鑑みてなされたものであり、本発明の目的は、記録ヘッドの吐出口面を払拭するために往復移動するワイパーに付着したインクをワイパークリーナにより除去するに際し、該ワイパークリーナのクリーニング性能を低下させることなく、ワイパーが移動するときのインク飛散を防止できるインクジェット記録装置を提供することである。
【手続補正５】
【補正対象書類名】明細書
【補正対象項目名】００１０
【補正方法】変更
【補正の内容】
【００１０】
本発明に係るインクジェット記録装置は、上記目的を達成するため、
インクを吐出して記録を行う記録ヘッドの吐出口面に沿って往復移動することにより該吐出口面を払拭するワイパーと、前記ワイパーが当接することにより前記ワイパーに付着したインクを除去するワイパークリーナと、前記ワイパークリーナを回動可能に軸支するクリーナホルダと、前記ワイパーを保持するワイパーホルダに配され、前記ワイパークリーナを前記ワイパーと当接しない位置に移動させるための制御レバーと、を備え、
前記ワイパーが第１の方向に移動するときは前記ワイパーが前記ワイパークリーナと当接し、前記ワイパーが第２の方向に移動するときは前記ワイパーが前記ワイパークリーナと当接する前に前記制御レバーと前記ワイパークリーナが当接することにより前記ワイパーと前記ワイパークリーナとが当接しないことを特徴とする。
【手続補正６】
【補正対象書類名】明細書
【補正対象項目名】００１１
【補正方法】変更
【補正の内容】
【００１１】
また、本発明に係るインクジェット記録装置は、上記目的を達成するため、
インクを吐出して記録を行う記録ヘッドの吐出口面に沿って往復移動することにより該吐出口面を払拭するワイパーと、前記ワイパーが当接することにより前記ワイパーに接触したインクを除去するワイパークリーナと、前記ワイパークリーナを回動可能に軸支するクリーナホルダと、前記ワイパークリーナと一体に形成され、前記ワイパークリーナを前記ワイパーと当接しない位置に移動させるための弾性アームと、を備え、
前記ワイパーが第１の方向に移動するときは前記ワイパーが前記ワイパークリーナと当接し、前記ワイパーが第２の方向に移動するときは前記ワイパーが前記ワイパークリーナと当接する前に前記ワイパーを保持するワイパーホルダと弾性アームが当接することにより前記ワイパーと前記ワイパークリーナとが当接しないことを特徴とする。
【手続補正７】
【補正対象書類名】明細書
【補正対象項目名】００１２
【補正方法】変更
【補正の内容】
【００１２】
本発明によれば、ワイパークリーナのクリーニング性能を低下させることなく、ワイパーが移動するときのインク飛散を防止できるインクジェット記録装置が提供される。
【手続補正８】
【補正対象書類名】明細書
【補正対象項目名】００２９
【補正方法】変更
【補正の内容】
【００２９】
図１０は本発明を適用したインクジェット記録装置の吐出回復装置の一実施例のワイパークリーナ５０の模式的斜視図であり、図１１は本発明を適用したインクジェット記録装置の吐出回復装置の一実施例のワイパーホルダ１９の模式的斜視図である。次に、図１０及び図１１を参照して、ワイパークリーナ５０の構成とワイパーホルダ１９に設けられた制御レバー５５について説明する。図１０において、クリーナホルダ５２に対して支軸５０ａを中心にワイパークリーナ５０が回動可能に軸支されている。このワイパークリーナ５０は、ばね５３によって回動方向の一方に向けてばね付勢されている。また、ワイパークリーナ５０は、前記ばね５３で付勢された状態で、クリーナホルダ５２の係止部５２ａとワイパークリーナ５０の突き当て部５０ｃが当接することにより、それ以上の回動を阻止されている。
【手続補正９】
【補正対象書類名】明細書
【補正対象項目名】００３４
【補正方法】変更
【補正の内容】
【００３４】
図１２〜図１５において、ワイパー４が矢印Ｘで示す第１の方向である往方向に移動しているときには、図１２に示すように、ワイパークリーナ５０は所定の姿勢を保ち、制御レバー５５は該ワイパークリーナ５０との接触によって直前に退避位置（逃げた位置）へ回動させられる。従って、ワイパー４はワイパークリーナ５０によって適正にクリーニングされる。ワイパー４及び制御レバー５５がワイパークリーナ５０を通過すると、図１３に示すように、制御レバー５５は戻しばね５６によって初期位置（元の待機姿勢）に戻される。図１３はワイパーホルダ１９のほぼフルストロークの位置であり、次いでワイパーホルダ１９の復方向（矢印Ｙ方向）の移動が開始される。
【手続補正１０】
【補正対象書類名】明細書
【補正対象項目名】００３５
【補正方法】変更
【補正の内容】
【００３５】
矢印Ｙで示す第２の方向である復方向の移動においては、図１４に示すように、ワイパー４がワイパークリーナ５０に接触する前に、制御レバー５５がワイパークリーナ５０に接触する。この場合は、制御レバー５５は突き当て部１９ａにストップされて図示時計方向には回転しないので、ワイパー４がワイパークリーナ５０に接触する前に、ワイパークリーナ５０はばね５３（図１０）に抗して時計方向へ回動させられる。そして、図１５に示すように、制御レバー５５によってワイパークリーナ５０がワイパー４と接触しない位置に回動させられた状態で、ワイパー４がワイパークリーナ部を通過することになる。このように、ワイパーホルダ１９が復方向（矢印Ｙ方向）に移動する際には、ワイパー４とワイパークリーナ５０は互いに接触しないように構成されている。つまり、ゴム状弾性材等で形成されるワイパー４が全く撓むことなく通過するので、復方向移動におけるインクの飛散を確実に防止することができる。
【手続補正１１】
【補正対象書類名】明細書
【補正対象項目名】００３８
【補正方法】変更
【補正の内容】
【００３８】
図１６は本発明を適用したインクジェット記録装置の吐出回復装置の他の実施例のワイパークリーナ５０の模式的斜視図であり、図１７は本発明を適用したインクジェット記録装置の吐出回復装置の他の実施例においてワイパーホルダ１９が初期位置にある状態を示す模式的斜視図であり、図１８は図１７の吐出回復装置においてワイパーホルダ１９がワイパークリーナ５０の弾性アーム７０ａを撓ませながら往方向に移動するときの状態を示す模式的斜視図である。図１９は図１７の吐出回復装置においてワイパーホルダ１９がワイパークリーナ５０の弾性アーム７０ａを通過したときの状態を示す模式的斜視図であり、図２０は図１７の吐出回復装置においてワイパーホルダ１９が復方向に移動してワイパークリーナ５０をワイパー４と接触しない退避位置へ回動させたときの状態を示す模式的斜視図である。
【手続補正１２】
【補正対象書類名】明細書
【補正対象項目名】００４７
【補正方法】変更
【補正の内容】
【００４７】
【図１】本発明を適用した吐出回復装置を有するインクジェット記録装置の内部構造を示す模式的斜視図である。
【図２】図１中の記録ヘッドの吐出口面における複数の吐出口列の配置を図示下側から見て示す部分斜視図である。
【図３】図１中の吐出回復装置の模式的斜視図である。
【図４】図３の吐出回復装置の内部構造を示す模式的斜視図である。
【図５】吐出回復装置のワイパーを駆動するためのワイパー駆動手段の構成を示す模式的斜視図である。
【図６】図５のワイパー駆動手段の初期位置の状態を記録ヘッドとともに示す模式的側面図である。
【図７】図５のワイパー駆動手段においてワイパーが往方向に移動しながら吐出口面をワイピングしているときの状態を記録ヘッドとともに示す模式的側面図である。
【図８】図５のワイパー駆動手段においてワイパーが吐出口面をワイピングした後にワイパークリーナを通過して往方向にフルストロークした状態を記録ヘッド及びワイパークリーナとともにに示す模式的側面図である。
【図９】図５のワイパー駆動手段においてワイパーが元の位置へ向かって移動している復帰時の状態を示す模式的側面図である。
【図１０】本発明を適用した吐出回復装置の一実施例のワイパークリーナの模式的斜視図である。
【図１１】本発明を適用したインクジェット記録装置の吐出回復装置の一実施例のワイパーホルダの模式的斜視図である。
【図１２】本発明を適用したインクジェット記録装置の吐出回復装置の一実施例においてワイパーホルダが往方向に移動しながらワイパーがワイパークリーナに接触する前に制御レバーが逃げる方向に回動した状態を示す模式的側面図である。
【図１３】図１２の吐出回復装置においてワイパーホルダが往方向に移動してワイパーがワイパークリーナを通過した後の状態を示す模式的側面図である。
【図１４】図１２の吐出回復装置においてワイパーホルダが復方向に移動するときにワイパーがワイパークリーナに接触する前に制御レバーがワイパークリーナに接触した瞬間の状態を示す模式的側面図である。
【図１５】図１２の吐出回復装置においてワイパーホルダが復方向に移動するときにワイパークリーナが制御レバーによって退避位置へ回動させられた状態を示す模式的側面図である。
【図１６】本発明を適用したインクジェット記録装置の吐出回復装置の他の実施例のワイパークリーナの模式的斜視図である。
【図１７】本発明を適用したインクジェット記録装置の吐出回復装置の他の実施例においてワイパーホルダが初期位置にある状態を示す模式的斜視図である。
【図１８】図１７の吐出回復装置においてワイパーホルダがワイパークリーナの弾性アームを撓ませながら往方向に移動するときの状態を示す模式的斜視図である。
【図１９】図１７の吐出回復装置においてワイパーホルダがワイパークリーナの弾性アームを通過したときの状態を示す模式的斜視図である。
【図２０】図１７の吐出回復装置においてワイパーホルダが復方向に移動してワイパークリーナをワイパーと接触しない退避位置へ回動させたときの状態を示す模式的斜視図である。